(57)【要約】      （修正有）【課題】空調機の状態をより簡単に確認することのできる空調機管理装置、空調機管理プログラム、及び空調機管理システムを得る。【解決手段】空調機２００との間で通信を行い、空調機２００に関する状態を表す空調機情報を取得する近距離無線通信装置１３０と、空調機２００のモデリングデータを記憶する記憶装置１１２と、近距離無線通信装置１３０を介して取得した空調機情報とモデリングデータから生成された三次元画像とを組み合わせて画面データを作成するアプリケーション部１１０と、アプリケーション部１１０により作成された画面データを表示する表示装置１６０とを備えた。【選択図】図１
2013218559.tif 000002
【特許請求の範囲】
【請求項１】
空調機との間で通信を行い、前記空調機に関する状態を表す空調機情報を取得する空調機側通信手段と、
前記空調機のモデリングデータを記憶する記憶手段と、
前記空調機側通信手段を介して取得した前記空調機情報と前記モデリングデータから生成された三次元画像とを組み合わせて画面データを作成する表示データ作成手段と、
前記表示データ作成手段により作成された前記画面データを表示する表示手段とを備えた
ことを特徴とする空調機管理装置。
【請求項２】
前記空調機側通信手段は、前記空調機と近距離無線通信を行う
ことを特徴とする請求項１記載の空調機管理装置。
【請求項３】
サーバーとの間で通信を行うサーバー側通信手段を備え、
前記記憶手段は、前記サーバー側通信手段を介して取得した前記モデリングデータを記憶する
ことを特徴とする請求項１または請求項２に記載の空調機管理装置。
【請求項４】
前記表示データ作成手段は、
前記モデリングデータから前記空調機の全体の前記三次元画像を生成し、その三次元画像と前記空調機情報とを組み合わせて前記画面データを作成する
ことを特徴とする請求項１〜請求項３のいずれか一項に記載の空調機管理装置。
【請求項５】
前記表示データ作成手段は、
前記モデリングデータから前記空調機を構成する部位の前記三次元画像を生成し、その三次元画像と前記空調機情報とを組み合わせて前記画面データを作成する
ことを特徴とする請求項１〜請求項４のいずれか一項に記載の空調機管理装置。
【請求項６】
前記空調機情報は、前記空調機の部位が正常であるか異常であるかに関する情報を含み、
前記表示データ作成手段は、正常な前記空調機の部位と異常な前記空調機の部位とを識別可能に、前記空調機を構成する部位の前記三次元画像を加工する
ことを特徴とする請求項５記載の空調機管理装置。
【請求項７】
前記表示データ作成手段は、
前記空調機を構成する部位の前記三次元画像の周辺に、その部位の前記空調機情報が文字で表示されるように、前記画面データを作成する
ことを特徴とする請求項５または請求項６に記載の空調機管理装置。
【請求項８】
前記表示データ作成手段は、
前記モデリングデータから生成された前記三次元画像に対する変形指示を入力するための入力手段からの変形指示に基づいて、前記モデリングデータから生成された前記三次元画像を拡大、縮小、移動、または回転させた画面データを作成する
ことを特徴とする請求項１〜請求項７のいずれか一項に記載の空調機管理装置。
【請求項９】
前記空調機に搭載された当該空調機を識別するための識別子を読み取り可能な撮影手段を備え、
前記空調機側通信手段は、前記撮影手段が読み取った前記識別子を有する前記空調機と、近距離無線通信を行う
ことを特徴とする請求項２記載の空調機管理装置。
【請求項１０】
前記空調機を構成する部位の交換方法を、文字、画像、及び音声の少なくともいずれかにより報知する交換方法報知手段を備えた
ことを特徴とする請求項１〜請求項９のいずれか一項に記載の空調機管理装置。
【請求項１１】
当該空調機管理装置のハードウェア性能、及び前記サーバーとの間の通信速度に応じて、前記サーバーに保持された複数の前記モデリングデータの中から一つの前記モデリングデータを選択する選択手段を備えた
ことを特徴とする請求項３記載の空調機管理装置。
【請求項１２】
前記空調機から取得した前記空調機情報を、所定周期でサーバーに送信する空調機情報送信手段を備えた
ことを特徴とする請求項１〜請求項１１のいずれか一項に記載の空調機管理装置。
【請求項１３】
通信手段を介して空調機に関する状態を表す空調機情報を取得するステップと、
前記空調機情報と前記空調機のモデリングデータから生成された三次元画像とを組み合わせて画面データを作成するステップとを有する
ことを特徴とする空調機管理プログラム。
【請求項１４】
通信手段を介して前記モデリングデータをサーバーから取得するステップを有する
ことを特徴とする請求項１３記載の空調機管理プログラム。
【請求項１５】
前記画面データを作成するステップは、
前記モデリングデータから前記空調機の全体の前記三次元画像を生成するステップを含む
ことを特徴とする請求項１３または請求項１４記載の空調機管理プログラム。
【請求項１６】
前記画面データを作成するステップは、
前記モデリングデータから前記空調機を構成する部位の前記三次元画像を生成するステップを含む
ことを特徴とする請求項１３〜請求項１５のいずれか一項に記載の空調機管理プログラム。
【請求項１７】
前記空調機情報は、前記空調機の部位が正常であるか異常であるかに関する情報を含み、
前記画面データを作成するステップは、
正常な前記空調機の部位と異常な前記空調機の部位とを識別可能に、前記空調機を構成する部位の三次元の画像を加工するステップを含む
ことを特徴とする請求項１６記載の空調機管理プログラム。
【請求項１８】
前記モデリングデータから生成された三次元画像に対する変形指示に基づいて、前記モデリングデータから生成された画像を拡大、縮小、移動、または回転させた画面データを作成するステップを含む
ことを特徴とする請求項１３〜請求項１７のいずれか一項に記載の空調機管理プログラム。
【請求項１９】
請求項１〜請求項１２のいずれか一項に記載の空調機管理装置と、
前記空調機管理装置と通信接続され、自身に関する状態を表す空調機情報を前記空調機管理装置に送信する空調機とを備えた
ことを特徴とする空調機管理システム。
【請求項２０】
前記空調機管理装置に前記空調機のモデリングデータを送信するサーバーを備えた
ことを特徴とする請求項１９記載の空調機管理システム。
【請求項２１】
前記空調機は、前記空調機管理装置と近距離無線通信を行う
ことを特徴とする請求項１９または請求項２０に記載の空調機管理システム。
【発明の詳細な説明】
【技術分野】
【０００１】
本発明は、空調機管理装置、空調機管理プログラム、及び空調機管理システムに関する。
【背景技術】
【０００２】
従来、ビル内の設備機器の保守・点検作業支援装置として、ビル内の設備機器に貼り付けられたバーコードと、このバーコードを読み取るバーコード読取装置を有し作業員に携帯される携帯情報機器と、保守・点検作業の内容やスケジュールを含むデータを作成するコンピュータとを備えたものが提案されている。この従来技術においては、作業員は、予めコンピュータから保守・点検作業の内容やスケジュールを含むデータをダウンロードしたＩＣカードと、携帯情報機器とを作業現場に持って行く。そして、作業現場において作業員は、設備機器に貼り付けられたバーコードを読み取り、このバーコードに対応した機器の保守・点検作業の内容やスケジュールをＩＣカードから読み出し、その読み出した内容やスケジュールにしたがって、設備機器の保守・点検を行う。そして、作業員は、保守・点検作業の結果を携帯情報機器に入力し、この結果を、ＩＣカードを介してコンピュータにアップロードする（例えば、特許文献１参照）。
【先行技術文献】
【特許文献】
【０００３】
【特許文献１】特開２０００−９０１４７号公報（第１―３頁、図１）
【発明の概要】
【発明が解決しようとする課題】
【０００４】
上記特許文献１に記載の技術によれば、作業員は、設備機器に対応した保守・点検作業の内容やスケジュールを、携帯情報機器にて確認することができる。しかしながら、上記特許文献１には、実際の設備機器の保守・点検を行う際の作業性については記載されていない。例えば空調機などの設備機器の保守・点検においては、外側から見るだけでは正常か異常かを判断したり、異常箇所を特定したりするのは困難である。また、空調機は、作業者の手が届きにくい場所に設置されることもあり、空調機の状態を確認するのが困難であった。このため、空調機の保守・点検作業の作業性の改善が望まれていた。
【０００５】
また、例えば複数の空調機が通信線で接続された空調機システムの保守・点検においては、メンテナンス専用のソフトウェアがインストールされたパソコンや専用装置を準備し、このパソコンや専用装置を空調機の通信線上に接続して保守・点検が行われる。しかし、空調機システムの通信線にパソコンや専用装置を接続する際には、空調機システムの電源を落とさなければならない場合もあり、作業者の作業負担が大きく、また空調機システムが設置されたビル等の快適性が損なわれるという課題があった。
【０００６】
本発明は、上記のような課題を背景としてなされたもので、空調機の状態をより簡単に確認することのできる空調機管理装置、空調機管理プログラム、及び空調機管理システムを得るものである。
【課題を解決するための手段】
【０００７】
本発明に係る空調機管理装置は、空調機との間で通信を行い、前記空調機に関する状態を表す空調機情報を取得する空調機側通信手段と、前記空調機のモデリングデータを記憶する記憶手段と、前記空調機側通信手段を介して取得した前記空調機情報と前記モデリングデータから生成された三次元画像とを組み合わせて画面データを作成する表示データ作成手段と、前記表示データ作成手段により作成された前記画面データを表示する表示手段とを備えたものである。
【０００８】
本発明に係る空調機管理装置の空調機側通信手段は、前記空調機と近距離無線通信を行うものである。
【発明の効果】
【０００９】
本発明の空調機管理装置には、空調機情報とモデリングデータから生成された三次元画像とを組み合わせて作成された画面データが表示されるので、ユーザーの手が届きにくい場所に設置された空調機の状態も空調機管理装置にて容易に確認することができる。
【００１０】
また、本発明によれば、空調機と有線通信することなく、空調機管理装置にて空調機の状態に関する情報を取得することができる。
【図面の簡単な説明】
【００１１】
【図１】実施の形態１に係る空調機管理システムの構成図である。
【図２】実施の形態１に係る空調機管理アプリケーションの全体動作を示すフローチャートである。
【図３】実施の形態１に係る画面表示例であり、空調機をワイヤーフレーム表示したものである。
【図４】実施の形態１に係る画面表示例であり、空調機をテクスチャ付きで表示したものである。
【図５】実施の形態１に係る空調機管理アプリケーションの、空調機の個体ＩＤ読み取り処理を示すフローチャートである。
【図６】実施の形態１に係る空調機管理アプリケーションの、空調機との近距離無線通信確立処理を示すフローチャートである。
【図７】実施の形態１に係る空調機管理アプリケーションの、３Ｄモデリングデータ取得処理を示すフローチャートである。
【図８】実施の形態１に係る空調機管理アプリケーションの、空調機情報の取得処理を示すフローチャートである。
【図９】実施の形態１に係る空調機管理アプリケーションの、３Ｄ画像及び空調機情報表示処理を示すフローチャートである。
【図１０】実施の形態１に係る空調機管理アプリケーションの、空調機情報の定期取得処理を示すフローチャートである。
【図１１】実施の形態１に係る画面表示例であり、空調機画像に回転操作を行った場合の表示例である。
【図１２】実施の形態１に係る空調機の部位の画面表示例である。
【図１３】実施の形態１に係る空調機の部位の画面表示例であり、空調機の部位に異常が生じている場合の表示例である。
【図１４】実施の形態１に係る画面表示例であり、空調機の部品交換手順の表示例である。
【図１５】実施の形態１に係る空調機情報の画面表示例である。
【図１６】実施の形態１に係る画面表示例であり、空調機画像を分解表示した場合の表示例である。
【図１７】実施の形態１に係る画面表示例であり、空調機画像の一部の表示例である。
【発明を実施するための形態】
【００１２】
以下、本発明に係る空調機管理装置、空調機管理プログラム、及び空調機管理システムの実施の形態を、図面を参照して説明する。なお、以下に示す図面の形態によって本発明が限定されるものではない。
【００１３】
実施の形態１．
［空調機管理システム］
図１は、実施の形態１に係る空調機管理システムの構成図である。図１において、空調機管理システム５００は、管理装置１００と、空調機２００と、サーバー３００とを備えている。空調機２００とサーバー３００は、ネットワーク４００を介して通信接続されている。
【００１４】
（管理装置１００）
管理装置１００は、空調機２００の保守、点検、状態確認に用いられる空調機管理装置であり、ユーザーが携帯可能な装置、例えばスマートフォン、ＰＤＡ、ノート型パソコン等の汎用情報端末、あるいは専用端末で構成される。管理装置１００は、後述する近距離無線通信により、１台または複数台の空調機２００と通信接続される。また、管理装置１００は、後述の公衆回線等のネットワーク４００を介して、１台または複数台のサーバー３００と通信接続される。
この管理装置１００は、アプリケーション部１１０、撮影装置１２０、近距離無線通信装置１３０、データ通信装置１４０、ユーザー入力装置１５０、及び表示装置１６０を備える。
【００１５】
アプリケーション部１１０は、撮影装置１２０、近距離無線通信装置１３０、データ通信装置１４０、ユーザー入力装置１５０、表示装置１６０、一時記憶装置１１１、及び記憶装置１１２とのインターフェースを有し、これらを制御する。アプリケーション部１１０は、管理装置１００のＣＰＵ（図示せず）が、記憶装置（図示せず）に記憶された空調機管理プログラムを実行することで、実現される。なお、アプリケーション部１１０を実現する空調機管理プログラムは、アプリケーション部１１０の機能毎に作成された複数のプログラムの集合体であってもよいし、アプリケーション部１１０のすべての機能を実現する単一のプログラムであってもよい。
【００１６】
撮影装置１２０は、映像撮影を行い、撮影した映像を管理装置１００内に取り込んで一時記憶装置１１１あるいは記憶装置１１２に記憶する。撮影装置１２０は、例えばカメラによって構成することができる。
【００１７】
近距離無線通信装置１３０は、空調機２００と近距離で無線通信を行う。近距離無線通信装置１３０は、例えばＢｌｕｅｔｏｏｔｈ（登録商標）などの一般的な規格や、独自規格に準拠した装置によって構成することができる。なお、近距離無線通信装置１３０は、後述する空調機２００の近距離無線通信装置２２０と同じ通信規格に準拠して通信を行うものとする。
【００１８】
データ通信装置１４０は、管理装置１００とサーバー３００とネットワーク４００を使用して通信を行う。ネットワーク４００は、Ｗｉｆｉ、携帯電話網、インターネットなどの公衆回線を採用することができる。
【００１９】
ユーザー入力装置１５０は、アプリケーション部１１０に対してユーザーが操作指示を入力するためのインターフェースである。ユーザー入力装置１５０は、例えば、タッチパネル、マウス、キーボードなどによって構成することができる。本実施の形態１では、ユーザー入力装置１５０は、タッチパネルであるものとして説明する。
【００２０】
表示装置１６０は、アプリケーション部１１０により作成される３Ｄ（３次元）画像や、２Ｄ（２次元）画像、文字等を表示可能な装置である。表示装置１６０は、例えばＬＣＤなどの任意の表示装置により構成することができる。
【００２１】
一時記憶装置１１１は、アプリケーション部１１０が起動中（動作中）に使用する各種データを一時的に記憶する。記憶装置１１２は、不揮発性メモリであり、空調機２００やサーバー３００から取得した各種データを記憶する。一時記憶装置１１１及び記憶装置１１２は、例えばフラッシュメモリによって構成することができる。
【００２２】
（空調機２００）
空調機２００は、空気調和機の室内機、室外機、及び換気装置など、空気調和を行う装置の総称である。本明細書においては、これらを区別なく空調機２００と称する。
空調機２００は、アプリケーション部２１０と、近距離無線通信装置２２０と、記憶装置２３０とを備える。また、空調機２００には、個体ＩＤラベル２４０が搭載されている。
【００２３】
空調機２００のアプリケーション部２１０は、管理装置１００からの無線信号に基づいて、自身が保有するデータを、近距離無線通信装置２２０を介して管理装置１００に送信する。
【００２４】
近距離無線通信装置２２０は、管理装置１００と近距離で無線通信を行う。近距離無線通信装置２２０は、例えばＢｌｕｅｔｏｏｔｈ（登録商標）など一般的な規格や、独自規格に準拠した装置によって構成することができる。
なお、近距離無線通信装置２２０は、管理装置１００の近距離無線通信装置１３０と同じ通信規格に準拠して通信を行うものとする。
【００２５】
記憶装置２３０は、空調機２００自身に関する情報、例えば形名、シリアルナンバー、運転状態に関する情報等を記憶する。
【００２６】
個体ＩＤラベル２４０は、空調機２００を個体識別するための識別子（個体ＩＤ）が表記されたラベルである。個体ＩＤラベル２４０の個体ＩＤは、例えばＱＲコード（登録商標）やバーコードなど、管理装置１００の撮影装置１２０によって読み取り可能な形式で表記されている。個体ＩＤは、例えば「形名＿シリアルナンバー」のように、空調機２００の形名と、空調機２００の機器に固有に割り当てられた番号とにより構成することができる。個体ＩＤラベル２４０は、空調機２００の外郭のうち撮影装置１２０で撮影可能な位置に貼り付けられている。例えば空調機２００が室内機である場合には、室内に露出する意匠面に個体ＩＤラベル２４０を貼り付けることができる。また、空調機２００が室外機である場合には、室外機の筐体表面に個体ＩＤラベル２４０を貼り付けることができる。
【００２７】
（サーバー３００）
サーバー３００は、ネットワーク４００を介して管理装置１００からアクセスすることのできる装置であり、例えば１台以上のパソコンで構成することができる。サーバー３００は、管理装置１００からの要求に応じて、記憶装置３１０に記憶されたデータを管理装置１００に送信する。
【００２８】
サーバー３００の記憶装置３１０には、空調機２００の３Ｄモデリングデータが、空調機２００の機種毎に記憶されている。なお、３Ｄモデリングデータとは、３次元空間において表現された空調機２００の形状を示す座標等のデータであり、３Ｄ画像の生成に用いられる。
【００２９】
［動作概要］
次に、動作概要を説明する。
図２は、実施の形態１に係る空調機管理アプリケーションの全体動作を示すフローチャートである。
ユーザー操作によってアプリケーション部１１０の起動指示がユーザー入力装置１５０に入力されると、管理装置１００のＣＰＵ（図示せず）は、アプリケーション部１１０を起動する。アプリケーション部１１０の起動により、図２に示す処理が開始される。
【００３０】
（Ｓ１０１）
起動すると、アプリケーション部１１０は、初期画面としてＩＤ読み取り画面（図示せず）を表示する。そして、アプリケーション部１１０は、撮影装置１２０を制御して、空調機２００に取り付けられた個体ＩＤラベル２４０の個体ＩＤを読み取り、認識する。
なお、アプリケーション部１１０及び撮影装置１２０は、空調機２００を識別するための識別子を読み取り可能な撮影手段を構成する。
【００３１】
（Ｓ１０２）
アプリケーション部１１０は、近距離無線通信装置１３０を制御して、通信可能な空調機２００を探索する。そして、検出した空調機２００のうち、ステップＳ１０１にて撮影装置１２０で読み取って認識した個体ＩＤに合致する空調機２００を選択し、その空調機２００を管理対象の空調機２００として近距離無線通信を確立させる。
【００３２】
（Ｓ１０３）
アプリケーション部１１０は、空調機２００との間で近距離無線通信が確立したか否かを判断する。空調機２００との間で近距離無線通信が確立した場合には（Ｓ１０３；Ｙｅｓ）、ステップＳ１０４に移行する。一方、空調機２００との間で近距離無線通信が確立できなかった場合には、ステップＳ１０１に戻る。
【００３３】
（Ｓ１０４）
アプリケーション部１１０は、近距離無線通信装置１３０を制御し、空調機２００から空調機の形名を特定する情報（機種コード）を受信する。
なお、アプリケーション部１１０及び近距離無線通信装置１３０は、空調機２００に関する状態を表す空調機情報を取得する空調機側通信手段を構成する。
【００３４】
次にアプリケーション部１１０は、データ通信装置１４０を制御して、空調機２００から受信した機種コードとともに空調機２００の３Ｄモデリングデータを要求する信号を、サーバー３００に送信する。そして、アプリケーション部１１０は、サーバー３００から送信された３Ｄアプリケーションデータを受信して、記憶装置１１２に記憶する。
なお、アプリケーション部１１０及び記憶装置１１２は、空調機２００のモデリングデータを記憶する記憶手段を構成する。
また、アプリケーション部１１０及びデータ通信装置１４０は、サーバー側通信手段を構成する。
【００３５】
（Ｓ１０５）
アプリケーション部１１０は、記憶装置１１２に３Ｄモデリングデータが記憶されているか否かを判断する。記憶装置１１２に３Ｄモデリングデータが記憶されている場合は（Ｓ１０５；Ｙｅｓ）、ステップＳ１０６に移行する。記憶装置１１２に３Ｄモデリングデータが存在しない場合は（Ｓ１０５；Ｎｏ）、ステップＳ１０１に戻る。
【００３６】
（Ｓ１０６）
アプリケーション部１１０は、近距離無線通信装置１３０を制御して、ステップＳ１０２で近距離無線通信を確立した空調機２００から、空調機２００の機器情報と空調機２００を構成する部位の情報（以下、これらの情報を空調機情報と総称する場合がある）を取得する。取得した情報は、一時記憶装置１１１に記憶される。なお、空調機２００から情報を取得する処理は、所定周期で繰り返し実行される。
【００３７】
（Ｓ１０７）
アプリケーション部１１０は、記憶装置１１２に記憶された３Ｄモデリングデータを元に、３Ｄ画像を生成する。そして、生成した３Ｄ画像と、空調機２００の空調機情報を組み合わせて画面データを作成し、作成した画面データを表示装置１６０に表示させる。
なお、アプリケーション部１１０は、空調機情報とモデリングデータから生成された３Ｄ画像とを組み合わせて画面データを作成する表示データ作成手段を構成する。
また、表示装置１６０は、画面データを表示する表示手段を構成する。
【００３８】
ここで、表示装置１６０に表示される３Ｄ画像及び空調機情報の例を説明する。図３は、実施の形態１に係る画面表示例であり、空調機をワイヤーフレーム表示したものである。図４は、実施の形態１に係る画面表示例であり、空調機をテクスチャ付きで表示したものである。図３、図４に示す例では、室外機である空調機２００及び空調機２００を構成する部品の一部を、３Ｄ画像で表示している。空調機２００の３Ｄ画像を、空調機画像２０００と称する。空調機画像２０００の詳細については後述する。
【００３９】
（Ｓ１０８）
アプリケーション部１１０は、ユーザー入力装置１５０を介してユーザーから初期画面（ＩＤ読み取り画面）に戻る操作を受けると、ステップＳ１０１に戻り、終了操作を受けると、終了する。
【００４０】
なお、図２のステップＳ１０１で空調機２００の個体ＩＤを読み取ることを説明したが、管理対象とする空調機２００の個体ＩＤが既知である場合（例えば、以前に通信したときに空調機２００の個体ＩＤを取得して記憶装置１１２に保存している場合）には、ステップＳ１０１の処理を省略することが可能である。
【００４１】
［動作詳細］
次に、図２で説明した管理装置１００のアプリケーション部１１０の処理を、さらに説明する。
【００４２】
（空調機の個体ＩＤ読み取り処理）
図５は、実施の形態１に係る空調機管理アプリケーションの、空調機の個体ＩＤ読み取り処理を示すフローチャートである。図５は、図２のステップＳ１０１を具体的に示した図である。
【００４３】
（Ｓ２０１）
アプリケーション部１１０は、初期画面としてＩＤ読み取り画面を表示装置１６０に表示し、撮影装置１２０を起動する。撮影装置１２０が起動されると、撮影装置１２０のレンズを介して入力された映像が、表示装置１６０に表示される。
【００４４】
（Ｓ２０２）
ユーザーは、空調機情報を取得したい空調機２００に取り付けられた個体ＩＤラベル２４０に撮影装置１２０を向け、個体ＩＤラベル２４０の個体ＩＤの識別子が表示装置１６０に表示されるように、撮影装置１２０の向きを調整する。
【００４５】
（Ｓ２０３）
アプリケーション部１１０または撮影装置１２０は、撮影装置１２０に入力された映像データを一時記憶装置１１１に取り込み、その映像データを解析し、個体ＩＤを読み取る。そして、アプリケーション部１１０または撮影装置１２０は、読み取った個体ＩＤを一時記憶装置１１１に記憶する。なお、ステップＳ２０３の処理は、アプリケーション部１１０が行ってもよいし、撮影装置１２０の制御部が行ってもよい。
映像データを取り込むタイミングについては、ユーザーがユーザー入力装置１５０を介して映像データの取り込みタイミングを指示してもよいし、撮影装置１２０による撮影中は常に映像データを取り込むようにしてもよい。
【００４６】
（Ｓ２０４）
アプリケーション部１１０は、一時記憶装置１１１に個体ＩＤが記憶されているか否かにより、空調機２００の個体ＩＤを読み取ることができたか否かを判断する。読み取りができていれば（Ｓ２０４；Ｙｅｓ）、処理を終了し、読み取りができていなければ（Ｓ２０４；Ｎｏ）、ステップＳ２０２に戻る。
【００４７】
（空調機との近距離無線通信確立処理）
図６は、実施の形態１に係る空調機管理アプリケーションの、空調機との近距離無線通信確立処理を示すフローチャートである。図６は、図２のステップＳ１０２を具体的に示した図である。
【００４８】
（Ｓ３０１）
アプリケーション部１１０は、近距離無線通信装置１３０を制御し、接続可能な機器が存在するか否かを探索するための探索信号を発信する。
【００４９】
空調機２００は、近距離無線通信装置２２０を介して管理装置１００から送信された探索信号を受信すると、自身の個体ＩＤを含む応答信号を送信する。例えば、管理装置１００から送信された探索信号を受信可能な範囲に複数の空調機２００が設置されている場合には、各空調機２００が応答信号を送信することとなる。
【００５０】
（Ｓ３０２）
アプリケーション部１１０は、ステップＳ３０１の探索信号に対する応答を受信できたか否か確認し、応答を受信した場合はステップＳ３０３に移行し、応答を受信できない場合はステップＳ３０６に移行する。
【００５１】
（Ｓ３０３）
アプリケーション部１１０は、空調機２００から送信された信号に含まれる個体ＩＤを確認し、一時記憶装置１１１に記憶されている個体ＩＤ（図２のステップＳ１０１で読み取った個体ＩＤ）と合致する空調機２００を検索する。
【００５２】
（Ｓ３０４）
アプリケーション部１１０は、ステップＳ３０２で応答があった空調機２００の個体ＩＤと合致する個体ＩＤが一時記憶装置１１１に存在するかどうか確認し、存在する場合は（Ｓ３０４；Ｙｅｓ）、ステップＳ３０５に移行し、存在しない場合は（Ｓ３０４；Ｎｏ）、ステップＳ３０６に移行する。
【００５３】
（Ｓ３０５）
アプリケーション部１１０は、近距離無線通信が確立されたことを一時記憶装置１１１に記憶して、処理を終了する。
【００５４】
（Ｓ３０６）
アプリケーション部１１０は、近距離無線通信が確立されなかったことを一時記憶装置１１１に記憶して、処理を終了する。
【００５５】
（３Ｄモデリングデータ取得処理）
図７は、実施の形態１に係る空調機管理アプリケーションの、３Ｄモデリングデータ取得処理を示すフローチャートである。図７は、図２のステップＳ１０４を具体的に示した図である。
【００５６】
（Ｓ４０１）
アプリケーション部１１０は、近距離無線通信装置１３０を制御し、空調機２００に対して形名を特定することができるユニークな識別子である機種コードを要求する信号を送信する。
この要求信号を受信した空調機２００は、自身の記憶装置２３０に記憶されている機種コードを含む信号を管理装置１００に送信する。
空調機２００から送信された信号を受信すると、アプリケーション部１１０は、受信した機種コードを一時記憶装置１１１に記憶する。
【００５７】
（Ｓ４０２）
アプリケーション部１１０は、ステップＳ４０１で取得した機種コードに紐付けられた３Ｄモデリングデータが記憶装置１１２に存在するかを判断する。通信対象の空調機２００の３Ｄモデリングデータが記憶装置１１２に存在しない場合には（Ｓ４０２；Ｎｏ）、ステップＳ４０３に移行する。
一方、記憶装置１１２に３Ｄモデリングデータが存在する場合には（Ｓ４０２；Ｙｅｓ）、処理を終了する。例えば、以前の保守・点検作業において通信対象の空調機２００の３Ｄモデリングデータを取得済みであるような場合には、３Ｄモデリングデータを改めて取得することなく処理を終了することになる。このようにすることで、サーバー３００との間の通信を軽減できる。
【００５８】
（Ｓ４０３）
アプリケーション部１１０は、データ通信装置１４０を制御し、サーバー３００に対して、ステップＳ４０１で取得した機種コードとともに空調機２００の３Ｄモデリングデータを要求する信号を送信する。
サーバー３００は、管理装置１００からの要求に応じて、機種コードに対応した３Ｄモデリングデータと、形名等の関連する情報を送信する。
アプリケーション部１１０は、データ通信装置１４０を介してサーバー３００から送信された３Ｄモデリングデータを受信し、記憶装置１１２に記憶する。このように、管理装置１００はサーバー３００から空調機２００の３Ｄモデリングデータを取得するので、例えば新機種の空調機２００の３Ｄモデリングデータであっても取得することができる。また、多機種の空調機２００の３Ｄモデリングデータを予め記憶装置１１２に記憶しておく必要もないので、記憶装置１１２の容量を節約できる。
【００５９】
なお、サーバー３００のアクセス先に関する情報は、予め記憶装置１１２に記憶されているものとする。
【００６０】
また、サーバー３００は、データ量やデータ内容の異なる複数種類の３Ｄモデリングデータを形名毎に記憶しておいてもよい。そして、データ通信装置１４０の通信速度、管理装置１００のＣＰＵやグラフィックチップなどのハードウェア性能に応じて、サーバー３００に要求するデータの種類をユーザー入力装置１５０によりユーザーに選択させ、もしくはアプリケーション部１１０において自動で選択し、選択したデータをサーバー３００から取得するようにしてもよい。例えば、通信速度が比較的低速で管理装置１００が比較的低性能である場合には、空調機２００を構成する主要な部位以外が省略されたデータ量の少ない３Ｄモデリングデータをサーバー３００から取得することで、通信負荷と管理装置１００の処理負荷を軽減できる。また、例えば、通信速度が比較的高速で管理装置１００が比較的高性能である場合には、空調機２００の細部が含まれるデータ量の多い３Ｄモデリングデータをサーバー３００から取得することで、アプリケーション部１１０は、詳細な３Ｄ画像を生成することができる。このようにすることで、管理装置１００の性能や利用環境に応じた快適な３Ｄ画像表示を行うことができる。
なお、アプリケーション部１１０及びユーザー入力装置１５０、またはアプリケーション部１１０は、サーバー３００に保持された複数のモデリングデータの中から一つのモデリングデータを選択する選択手段を構成する。
【００６１】
また、データ通信装置１４０は、複数種類の通信機能を備えた構成とし、通信環境によってサーバー３００との通信機能を切り替えてもよい。例えば、データ通信装置１４０がＷｉｆｉ及び携帯電話網による通信機能を備えている場合、Ｗｉｆｉを優先し、通信環境によってＷｉｆｉと携帯電話網とを切り替えて通信を行うことができる。また、管理装置１００が汎用情報端末である場合において複数の通信機能を利用可能であるときには、当該汎用情報端末の設定に準拠した通信機能を利用する。
【００６２】
また、サーバー３００は、新機種、既存機種も含め、空調機２００の３Ｄモデリングデータを記憶している。このため、例えば空調機２００の機種が追加された場合であっても、管理装置１００の構成に変更は生じない。
【００６３】
（Ｓ４０４）
アプリケーション部１１０は、サーバー３００から３Ｄモデリングデータ及び形名を正しく受信することができたか否か判断し、受信できれば（Ｓ４０４；Ｙｅｓ）、ステップＳ４０５に進む。一方、受信できなかった場合は（Ｓ４０４；Ｎｏ）、処理を終了する。
【００６４】
（Ｓ４０５）
アプリケーション部１１０は、ステップＳ４０３で受信した形名及び３Ｄモデリングデータを、ステップＳ４０１にてサーバー３００に送信した機種コード（すなわち、通信相手の空調機２００の機種コード）と紐付けて、記憶装置１１２に記憶する。
【００６５】
なお、ステップＳ４０２にて３Ｄモデリングデータが記憶装置１１２に存在する場合であっても（Ｓ４０２；Ｙｅｓ）、ステップＳ４０３に移行して３Ｄモデリングデータを取得してもよい。このようにすることで、サーバー３００に記憶された３Ｄモデリングデータが更新された場合でも、管理装置１００は新しいデータを取得することができる。
【００６６】
（空調機情報取得処理）
図８は、実施の形態１に係る空調機管理アプリケーションの、空調機情報の取得処理を示すフローチャートである。図８は、図２のステップＳ１０６を具体的に示した図である。
【００６７】
（Ｓ５０１）
アプリケーション部１１０は、近距離無線通信装置１３０を制御し、空調機２００に対して、空調機２００の機器情報及び空調機２００の部位情報を要求する信号を送信する。このとき、アプリケーション部１１０は、空調機２００に対して要求するデータの種類を特定してもよい。例えば、空調機２００のうち特定の部位の情報のみを要求する信号を送信してもよい。
空調機情報を要求する信号を受信した空調機２００のアプリケーション部２１０は、近距離無線通信装置２２０を介して、要求された情報を送信する。
アプリケーション部１１０は、近距離無線通信装置１３０を介して空調機２００から送信された情報を取得する。
【００６８】
ここで、空調機情報の具体例を説明する。
空調機２００の機器情報とは、空調機２００の構成及び空調機２００の状態に関する情報、例えば空調機２００の制御ソフトウェアのバージョン、据付日、電源周波数、稼働時間、積算電力量などである。これら空調機２００の機器情報は、空調機２００の記憶装置２３０に記憶されている。空調機２００の記憶装置２３０に記憶された情報は、所定タイミングで更新される。
空調機２００の部位の情報とは、空調機２００を構成する部位（例えば、ファン、圧縮機、高圧圧力センサ等）の状態に関する情報であり、例えば、部位が壊れている（異常が発生している）か否か、部位の動作状態などがある。部位の動作状態は、部位に依存した情報であり、例えば圧縮機やファンであれば回転数や電圧、センサであれば出力値等である。これら空調機２００を構成する部位の情報も、空調機２００の記憶装置２３０に記憶されている。
なお、空調機情報の内容は、空調機２００の形名毎に異なってもよい。
【００６９】
（Ｓ５０２）
アプリケーション部１１０は、ステップＳ５０１で空調機２００からの応答があり、かつ空調機情報のデータが存在するかどうか確認する。空調機２００から応答があり、かつ空調機情報のデータが存在する場合は（Ｓ５０２；Ｙｅｓ）、ステップＳ５０３に移行する。一方、空調機２００から応答がない、空調機情報のデータが存在しない、あるいはその両方である場合は（Ｓ５０２；Ｎｏ）、ステップＳ５０４に移行する。
【００７０】
（Ｓ５０３）
アプリケーション部１１０は、ステップＳ５０２で取得した空調機２００から応答の内容である空調機２００の空調機情報（空調機２００の全体の機器情報及び空調機２００の部位の情報を含む）を、一時記憶装置１１１に記憶する。
【００７１】
また、アプリケーション部１１０は、空調機２００から取得した空調機情報を、データ通信装置１４０を介してサーバー３００に送信して、サーバー３００が空調機２００の動作履歴としてこれらの情報を記憶してもよい。このようにすることで、サーバー３００に記憶された動作履歴を、例えば空調機２００に異常が見つかったときの原因解析や、異常発生頻度の高い部位を抽出するなどの解析に利用することができる。
なお、アプリケーション部１１０及びデータ通信装置１４０は、空調機から取得した空調機情報を、所定周期でサーバーに送信する空調機情報送信手段を構成する。
【００７２】
（Ｓ５０４）
アプリケーション部１１０は、空調機２００の機器情報及び部位の情報を周期的に取得して更新する処理を起動するためのタイマーを開始して、処理を終了する。
【００７３】
（３Ｄ画像及び空調機情報表示処理）
図９は、実施の形態１に係る空調機管理アプリケーションの、３Ｄ画像及び空調機情報表示処理を示すフローチャートである。図９は、図２のステップＳ１０７を具体的に示した図である。
３Ｄ画像及び空調機情報表示処理においては、管理装置１００は、サーバー３００から取得した３Ｄモデリングデータから空調機２００の３Ｄ画像を生成して表示装置１６０に表示し、また、空調機２００から取得した空調機情報を表示装置１６０に表示する。
【００７４】
（Ｓ６０１）
アプリケーション部１１０は、記憶装置１１２に記憶されている３Ｄモデリングデータを元に、３Ｄ画像を生成し、一時記憶装置１１１に記憶する。ここで生成する３Ｄ画像は、空調機２００の正常状態の全体画像である空調機画像２０００、空調機２００を構成する部位の正常状態の画像である部位画像２００１、またはその両方である（図３、図４参照）。また、この３Ｄ画像は、ワイヤーフレーム表示、ワイヤーフレームの面部分にテクスチャを付加したテクスチャ画像表示、及びその両方のいずれであってもよい。
【００７５】
（Ｓ６０２）
アプリケーション部１１０は、一時記憶装置１１１に記憶されている空調機２００の部位の状態に関する情報のうち、正常／異常に関する情報を抽出し、ステップＳ６０１で生成した３Ｄ画像に、正常／異常に関する情報を反映させる。例えば、正常な部位の部位画像２００１については変更を加えず、異常が発生している部位の画像については色を変更し、異常部位画像２００２とする。なお、異常部位画像２００２は、正常な部位の部位画像２００１と識別可能であれば、色を変更するほか、例えば点滅させる、丸で囲む、目印を付加するなど、任意の表示処理加工を施すことができる。正常／異常に関する情報を反映した３Ｄ画像は、一時記憶装置１１１に記憶される。
【００７６】
（Ｓ６０３）
アプリケーション部１１０は、ステップＳ６０１、Ｓ６０２で生成され一時記憶装置１１１に記憶された空調機画像２０００、部位画像２００１、及び異常部位画像２００２を、表示装置１６０に表示する。
【００７７】
ここで、図３、図４を参照して、表示装置１６０に表示される画面例を説明する。
図３、図４に示すように、表示装置１６０には、空調機２００の空調機画像２０００が表示され、空調機２００を構成する部位の部位画像２００１及び異常部位画像２００２も併せて表示される。空調機２００の全体の空調機画像２０００を表示するので、ユーザーは、空調機２００の全体構成を把握しやすい。また、空調機２００を構成する部位の部位画像２００１を表示するので、ユーザーは、保守、点検、監視すべき部位を把握しやすい。また、異常が発生している部位については、正常な部位と識別可能な異常部位画像２００２として表示するようにしたので、ユーザーは、異常が発生している部位を認識しやすい。
【００７８】
なお、図３、図４に示すように、画面の上部には、空調機２００の形名２００３が表示される。
画面の左下には、空調機画像２０００のワイヤーフレーム画像とテクスチャ画像とで表示を切り替えるための表示切り替えボタン２００４が配置される。
画面の右下には、空調機２００の機器情報を表示するための空調機情報表示ボタン２００５が配置されている。
【００７９】
（Ｓ６０４）
アプリケーション部１１０は、ユーザー入力装置１５０を介してユーザーからの操作が入力されるのを待つ。
【００８０】
（Ｓ６０５）
アプリケーション部１１０は、ユーザーからの操作内容によって処理を分岐する。
表示切り替えボタン２００４が押下された場合はステップＳ６０６、空調機画像２０００に対する入力操作を受けた場合はステップＳ６０７、部位画像２００１あるいは異常部位画像２００２を選択する操作を受けた場合はステップＳ６０８、空調機情報表示ボタン２００５が押下された場合はステップＳ６０９、終了操作あるいは初期画面に戻る操作を受けた場合は、ステップＳ６１２に移行する。
【００８１】
（Ｓ６０６）
表示切り替えボタン２００４が押下されると、アプリケーション部１１０は、空調機画像２０００のワイヤーフレーム画像（図３）とテクスチャ画像（図４）を切り替えて表示する。すなわち、表示切り替えボタン２００４が押下される度に、ワイヤーフレーム表示をテクスチャ表示に、テクスチャ表示をワイヤーフレーム表示に切り替える。
なお、本実施の形態１では、一つの表示切り替えボタン２００４によりワイヤーフレーム表示とテクスチャ表示を切り替える例を示すが、それぞれの表示に切り替えるためのボタンを個別に設けてもよい。
【００８２】
（Ｓ６０７）
空調機画像２０００に対する操作が加えられると、アプリケーション部１１０は、その操作に対応して、３Ｄ画像である空調機画像２０００を変形して表示する。３Ｄ画像の変形の種類としては、例えば、空調機画像２０００の移動、拡大、縮小、回転などがある。これら変形処理に対してそれぞれユーザー入力装置１５０からの入力操作が割り当てられており、ユーザー入力装置１５０からの入力操作に応じて、アプリケーション部１１０は空調機画像２０００を変形させて表示装置１６０に表示する。例えば、ユーザー入力装置１５０がタッチパネルであれば、フリック操作、ドラッグ操作、ピンチイン操作、ピンチアウト操作、ダブルタップ操作等を、３Ｄ画像の変形（移動、拡大、縮小、回転）にそれぞれ割り当てることができる。
なお、ユーザー入力装置１５０は、３Ｄ画像に対する変形指示を入力するための入力手段を構成する。
【００８３】
このように、ユーザーからの操作に応じて空調機画像２０００を移動、拡大、縮小、回転させて表示することで、ユーザーが求める画像情報を適切に提供することができる。ユーザーは、所望の変形が加えられた空調機画像２０００を確認することができるので、保守、点検、状態確認等を行いやすい。
【００８４】
図１１は、実施の形態１に係る画面表示例であり、空調機画像に回転操作を行った場合の表示例である。
図１１では、図３に示した空調機画像２０００を回転させ、空調機２００を真下から見た底面を表示した例である。空調機画像２０００を回転させた状態においても、部位画像２００１及び異常部位画像２００２は表示されている。
【００８５】
（Ｓ６０８）
図３、図４に示すように空調機画像２０００が表示されている状態において、空調機２００のいずれかの部位を選択する操作が加えられると、アプリケーション部１１０は、選択された部位の画像（部位画像２００１あるいは異常部位画像２００２）及びその部位に関する詳細情報を、一時記憶装置１１１から取得して表示する。
【００８６】
図１２は、実施の形態１に係る空調機の部位の画面表示例である。図１２（ａ）は空調機２００の部位として圧縮機を示し、図１２（ｂ）は高圧圧力センサを示している。
図１２（ａ）では、圧縮機の部位画像２００１とともに、部位画像２００１の近傍に部位情報２０１０が文字で表示されている。この例では、部位情報２０１０として、圧縮機の状態が正常であること及び圧縮機の回転数が文字で表示されている。
図１２（ｂ）では、異常が発生している高圧圧力センサの異常部位画像２００２とともに、部位情報２０１０が文字で表示されている。この例では、部位情報２０１０として、高圧圧力センサに異常が発生していること及び圧力の値が文字で表示されている。
【００８７】
このように、部位画像２００１や異常部位画像２００２の周辺に、空調機情報を文字で表す部位情報２０１０を表示するので、ユーザーは空調機２００を構成する部位の状態が分かりやすい。なお、部位情報２０１０は、図２のステップＳ１０６にて空調機２００から取得して一時記憶装置１１１に記憶された情報である。
【００８８】
図１３は、実施の形態１に係る空調機の部位の画面表示例であり、空調機の部位に異常が生じている場合の表示例である。ユーザーによって選択された部位が異常部位画像２００２であった場合、図１３に示すように、異常部位画像２００２とともに、異常部位情報２０２０を文字で表示する。この異常部位情報２０２０は、図１２（ｂ）で示した部位情報２０１０とは異なり、当該部位の交換方法を表示するためのボタンである部位交換方法表示ボタン２０２１を備えている。
【００８９】
ここで、図１３に示す部位交換方法表示ボタン２０２１が押下された場合の動作を説明する。
ステップＳ６０８において図１３に示す画面を表示しているときに、ユーザーによって部位交換方法表示ボタン２０２１が押下されると、アプリケーション部１１０は、サーバー３００に対し、選択された部位を特定する識別子及び異常内容を特定する識別子とともに、交換方法を要求する信号を送信する。
この要求信号を受信したサーバー３００は、指定された部位及び異常内容に対応した交換方法を示す交換手順データ２０３１を送信する。なお、サーバー３００の記憶装置３１０には、空調機２００を構成する部位の交換手順データが予め記憶されているものとする。
交換手順データ２０３１を受信すると、アプリケーション部１１０は、交換手順データ２０３１を出力する。
【００９０】
交換手順データ２０３１は、文字、画像、及び音声のうち一つ以上を含み、文字及び画像については表示装置１６０に表示され、音声については管理装置１００に設けられた図示しないスピーカから音声出力される。
なお、アプリケーション部１１０、表示装置１６０、及びスピーカは、空調機を構成する部位の交換方法を報知する交換方法報知手段を構成する。
【００９１】
このように、管理装置１００に交換手順データ２０３１を表示するので、ユーザーは、空調機２００の部位の交換手順を確認しながらより確実に交換作業を行うことができる。また、ユーザーは、交換手順を記載したマニュアル等を空調機２００の機種毎に持ち歩く必要がないので、保守、点検作業等の作業負担が軽減される。また、交換手順データ２０３１をサーバー３００から取得するようにしたので、新機種の空調機２００の交換手順であっても取得することができ、予め多機種の空調機２００の交換手順を記憶装置１１２に記憶しておく必要もないので、記憶装置１１２の容量を節約できる。なお、交換手順データ２０３１は必ずしもサーバー３００から取得しなければならないものではなく、予め記憶装置１１２に記憶しておくことも可能である。
【００９２】
図１４は、実施の形態１に係る画面表示例であり、空調機の部品交換手順の表示例である。図１４に示す交換手順画面２０３０には、画像で表現された交換手順データ２０３１、閉じるボタン２０３２、戻るボタン２０３３、次へボタン２０３４が表示される。
【００９３】
交換手順データ２０３１は、空調機２００の部品の交換手順を示す。交換手順が複数の手順で構成されている場合には、画面切り替えにより各手順を表示してもよいし、アニメーションによって交換手順を表示してもよい。
【００９４】
閉じるボタン２０３２が押下されると、アプリケーション部１１０は、交換手順画面２０３０を閉じて前の画面（図１３）に戻る。戻るボタン２０３３が押下されると、アプリケーション部１１０は、交換手順データ２０３１の前の手順を表示するように画面を切り替える。次へボタン２０３４が押下されると、アプリケーション部１１０は、交換手順データ２０３１の次の手順を表示するように画面を切り替える。
【００９５】
（Ｓ６０９）
図３、図４、図１１に示す空調機情報表示ボタン２００５が押下されると、アプリケーション部１１０は、空調機２００の空調機情報を表示する画面を表示装置１６０に表示する。
図１５は、実施の形態１に係る空調機情報の画面表示例である。図１５に示すように、空調機情報表示画面２０４０には、一時記憶装置１１１に記憶された空調機情報を、項目名２０４１とその情報２０４２とが一対になるように一行に文字で表示する。空調機情報表示画面２０４０には、空調機２００から取得することができた空調機情報（空調機２００の機器情報及び空調機２００の部位の情報）をすべて表示するものとする。また、空調機情報表示画面２０４０の右上には、閉じるボタン２０４３を表示する。
【００９６】
（Ｓ６１０）
ユーザーにより閉じるボタン２０４３が押下されるのを待ち、閉じるボタン２０４３が押下されると、アプリケーション部１１０は、空調機情報表示画面２０４０を閉じる。
【００９７】
（Ｓ６１１）
ステップＳ６０６、Ｓ６０７、Ｓ６０８、Ｓ６１０に続き、アプリケーション部１１０は、表示装置１６０の画面表示を更新する。画面を更新した後は、ステップＳ６０４に戻ってユーザーの操作を待つ。
【００９８】
（Ｓ６１２）
アプリケーション部１１０を閉じる操作、または初期画面に戻る操作を受けると、アプリケーション部１１０は、図８のステップＳ５０４で起動したタイマーを停止する。
【００９９】
（Ｓ６１３）
アプリケーション部１１０は、表示装置１６０で表示中の画面を閉じ、処理を終了する。
【０１００】
（空調機情報の定期取得処理）
図１０は、実施の形態１に係る空調機管理アプリケーションの、空調機情報の定期取得処理を示すフローチャートである。図１０で示す処理は、図８のステップＳ５０４で起動したタイマーが所定時間をカウントする度に実行される。
【０１０１】
（Ｓ７０１）
図８のステップＳ５０１と同様に、近距離無線通信装置１３０を制御し、空調機２００に対して、空調機２００の機器情報及び空調機２００の部位情報を要求する信号を送信する。
空調機情報を要求する信号を受信した空調機２００のアプリケーション部２１０は、近距離無線通信装置２２０を介して、要求された情報を送信する。
アプリケーション部１１０は、近距離無線通信装置１３０を介して空調機２００から送信された情報を取得する。
【０１０２】
（Ｓ７０２）
アプリケーション部１１０は、ステップＳ７０１で空調機２００からの応答があり、かつ機器情報のデータが存在するかどうか確認する。空調機２００からの応答があり、かつデータが存在する場合は（Ｓ７０２；Ｙｅｓ）、ステップＳ７０３に移行する。一方、空調機２００から応答がない、空調機情報のデータが存在しない、あるいはその両方である場合は（Ｓ７０２；Ｎｏ）、処理を終了する。
【０１０３】
（Ｓ７０３）
アプリケーション部１１０は、ステップＳ７０２で取得した空調機２００から応答の内容である空調機２００の機器情報、及び空調機２００の部位の情報を、一時記憶装置１１１に記憶する。
【０１０４】
また、管理装置１００は、空調機２００から取得した空調機情報をサーバー３００に送信して、サーバー３００が空調機２００の動作履歴としてこれらの情報を記憶してもよい。このようにすることで、サーバー３００に記憶された動作履歴を、例えば空調機２００に異常が見つかったときの原因解析や、異常発生頻度の高い部位を抽出するなどの解析に利用することができる。
【０１０５】
（Ｓ７０４）
アプリケーション部１１０は、一時記憶装置１１１に記憶された空調機の機器情報、及び空調機の部位の情報に基づいて、表示装置１６０にて現在表示中の画面（空調機画像２０００、部位画像２００１、異常部位画像２００２、部位情報２０１０、異常部位情報２０２０、空調機情報表示画面２０４０）を更新して、表示装置１６０に表示する。
【０１０６】
［変形例］
図１６は、実施の形態１に係る画面表示例であり、空調機画像を分解表示した場合の表示例である。図１６に示す空調機画像２０００Ａは、空調機２００を構成する部品の一部を分解表示している。この空調機画像２０００Ａには、空調機２００を構成する部位の部位画像２００１及び異常部位画像２００２（図示せず）も含まれる。このように空調機２００を分解表示することで、ユーザーは、例えば図９のステップＳ６０５にて空調機２００の部位を選択する際に選択しやすい。アプリケーション部１１０は、画面上に設けられた専用の操作ボタンあるいは、図３、図４、図１１で示した表示切り替えボタン２００４が押下されたときに、図１６に示すような分解表示の画像を表示することができる。
【０１０７】
また、図１６に示す空調機画像２０００Ａは、例えば図３、図４、図１１で示した空調機画像２０００と比べて詳細な画像となっている。図７のステップＳ４０３において、サーバー３００にてデータ量やデータ内容の異なる複数種類の３Ｄモデリングデータを記憶しておき、通信環境及び管理装置１００のＣＰＵやグラフィックチップなどの性能によって３Ｄモデリングデータを選択可能であることを説明した。図１６は、空調機２００の細部についてのデータを含む３Ｄモデリングデータの画像例であり、ユーザーはより詳細に空調機２００の構成を把握することができるようになっている。
【０１０８】
図１７は、実施の形態１に係る画面表示例であり、空調機画像の一部の表示例である。図１７に示す空調機画像２０００Ｂは、図１６と同様に空調機２００の細部についてのデータを含む３Ｄモデリングデータの画像例であり、また、空調機２００の全体画像のうちの一部を拡大して示す画像となっている。この空調機画像２０００Ｂには、空調機２００を構成する部位の部位画像２００１及び異常部位画像２００２も含まれる。このように空調機２００の一部を拡大して示すことで、ユーザーは、例えば図９のステップＳ６０５にて空調機２００の部位を選択する際に選択しやすい。アプリケーション部１１０は、図９のステップＳ６０５にて３Ｄ画像に対する操作が加えられたときに、図１７に示すような画像を表示することができる。
【０１０９】
なお、上記説明では、管理装置１００は、空調機２００と通信を行う空調機側通信装置（近距離無線通信装置１３０）と、サーバー３００と通信を行うサーバー側通信装置（データ通信装置１４０）とを別個に有するものとして説明した。しかし、空調機側通信装置とサーバー側通信装置とを同じ通信装置で構成してもよい。
【０１１０】
［効果］
以上のように本実施の形態１によれば、空調機２００から取得した空調機情報とモデリングデータから生成された三次元画像とを組み合わせて作成された画面データが、管理装置１００に表示される。このため、保守担当者等のユーザーは、空調機２００及びこれを構成する部位の情報を、管理装置１００の画面にて視覚的に認識することができる。また、ユーザーは、三次元画像により空調機２００及び部位の構造を確認できるので、例えば文字のみによって構造を理解する場合と比べて認識に誤りが生じにくく、点検、保守、監視の作業が行いやすい。このように、本実施の形態１によれば、ユーザーは、手が届きにくい場所に設置された空調機２００や空調機２００の内部の状態も容易に確認することができる。ユーザーは、空調機２００や部位の状態の確認を容易に行えることから、仮に修理や部品の交換が必要な場合にも迅速に対応できる。
【０１１１】
また、本実施の形態１では、管理装置１００は近距離無線通信により空調機２００の空調機データを取得する。このため、管理装置１００は、空調機２００と有線通信することなく、空調機２００状態に関する情報を取得することができる。したがって、例えば管理装置１００を空調機２００に有線接続するときのように空調機２００の電源を落とす必要もないので、点検、保守、監視の作業が容易であり、また空調機２００が設置された環境の快適性を損なうこともない。
【符号の説明】
【０１１２】
１００  管理装置、１１０  アプリケーション部、１１１  一時記憶装置、１１２  記憶装置、１２０  撮影装置、１３０  近距離無線通信装置、１４０  データ通信装置、１５０  ユーザー入力装置、１６０  表示装置、２００  空調機、２１０  アプリケーション部、２２０  近距離無線通信装置、２３０  記憶装置、２４０  ラベル、３００  サーバー、３１０  記憶装置、４００  ネットワーク、５００  空調機管理システム、２０００  空調機画像、２０００Ａ  空調機画像、２０００Ｂ  空調機画像、２００１  部位画像、２００２  異常部位画像、２００３  形名、２００４  表示切り替えボタン、２００５  空調機情報表示ボタン、２０１０  部位情報、２０２０  異常部位情報、２０２１  部位交換方法表示ボタン、２０３０  交換手順画面、２０３１  交換手順データ、２０３２  閉じるボタン、２０３３  戻るボタン、２０３４  次へボタン、２０４０  空調機情報表示画面、２０４１  項目名、２０４２  情報、２０４３  閉じるボタン。
【図１】
2013218559.tif 000003
【図２】
2013218559.tif 000004
【図３】
2013218559.tif 000005
【図４】
2013218559.tif 000006
【図５】
2013218559.tif 000007
【図６】
2013218559.tif 000008
【図７】
2013218559.tif 000009
【図８】
2013218559.tif 000010
【図９】
2013218559.tif 000011
【図１０】
2013218559.tif 000012
【図１１】
2013218559.tif 000013
【図１２】
2013218559.tif 000014
【図１３】
2013218559.tif 000015
【図１４】
2013218559.tif 000016
【図１５】
2013218559.tif 000017
【図１６】
2013218559.tif 000018
【図１７】
2013218559.tif 000019